【事件の表示】
　特許第３１６１４６２号「給紙装置」の請求項１ないし１０に係る特許に対する特許異議の申立てについて、次のとおり決定する。
【結　論】
　特許第３１６１４６２号の請求項１、３ないし７、９及び１０に係る特許を取り消す。
　同請求項２、８に係る特許を維持する。
【理　由】
Ｉ．手続の経緯の概要
　本件特許第３１６１４６２号の請求項１ないし１０に係る発明についての出願は、特許法第４１条に基づく優先権主張を伴う平成１１年８月３日（優先日：平成１０年８月１１日）に出願され、平成１３年２月２３日に、その特許権の設定登録（平成１３年４月２５日特許公報発行）がなされ、その後、平成１３年１０月２５日付けで山本智美より特許異議の申立がなされ、取消理由の通知がなされ、その指定期間内である平成１４年３月２０日付けで意見書の提出がなされたものである。
　
II．特許異議の申立の概要
　本件特許異議申立人は、甲第１号証ないし甲第３号証を提出して概略本件請求項１ないし１０に係る発明は、甲第１号証ないし甲第３号証の刊行物に記載された発明に基づいて、当業者が容易に発明をすることができたものであるから、本件特許は、特許法第２９条第２項の規定に違反してされたものであるので、特許法第１１３条第１項第２号の規定により取り消されるべきものである旨主張している。
　証拠方法
甲第１号証：特開平１０−１８１９０５号公報
甲第２号証：特開平１０−７２７２号公報
甲第３号証：実願平３−８８５１０号（実開平５−３２３４１号）のＣＤ−ＲＯＭ
　
III．特許異議申立てについての判断
１．本件特許発明１〜１０
　本件特許第３１６１４６２号の請求項１ないし１０に係る発明（以下、それぞれ「本件発明１」〜「本件発明１０」という）は、明細書及び図面の記載からみて、その特許請求の範囲の請求項１ないし１０に記載された事項により特定される次のとおりのものである（分説して示す）。
　
　「【請求項１】
Ａ．駆動手段によって駆動され、用紙を所定の搬送方向に給紙する給紙ローラと、
Ｂ．その給紙ローラに当接して用紙を一枚毎に分離する分離片と、
Ｃ．搬送方向上流側を上方向、搬送方向下流側を下方向として複数枚の用紙を斜めに保持し、前記給紙ローラから離れる第一位置と給紙ローラに近づく第二位置との間で移動可能に配設される用紙支持部と、
Ｄ．第一付勢力によって分離片を給紙ローラに向かって付勢する第一付勢状態と、第一付勢力よりも大きい第二付勢力によって分離片を給紙ローラに向かって付勢する第二付勢状態とを切換可能な付勢部材と、
Ｅ．その付勢部材の付勢力に抗して分離片を給紙ローラから離間させる分離片離間部材と、
Ｆ．前記駆動手段によって駆動され、分離片の近傍位置において回動可能な一対の用紙戻しレバーと、を備え、
Ｇ．前記用紙を一枚分離する毎に、まず、前記用紙支持部を第二位置から第一位置に移動させて用紙支持部を給紙ローラから離間させることに連動して、前記分離片に対する付勢力を第二付勢状態から第一付勢状態に前記付勢部材を切り換えて分離片に対する付勢力を弱めるとと共に、前記用紙戻しレバーを搬送方向下流側に位置させた状態とし、
Ｈ．続いて、前記駆動手段からの駆動力により用紙戻しレバーが搬送方向上流側に回動するのに連動して、第一付勢状態により付勢されている分離片を前記分離片離間部材を介して給紙ローラから一時的に離間させて分離片に対する付勢を解除し、
Ｉ．さらなる用紙戻しレバーの回動によって用紙支持部上の用紙を搬送方向上流側に押し戻すことを特徴とする給紙装置。
　
【請求項２】
Ｊ．前記付勢部材は、前記分離片を常に所定の付勢力で給紙ローラに向かって付勢することが可能な第一付勢部材と、
Ｋ．その第一付勢部材とは別に設けられる第二付勢部材とからなり、
Ｌ．前記第二付勢状態から第一付勢状態への切り換えは、前記用紙支持部が第一位置と第二位置との間で移動するのに連動して、第二付勢部材を第一付勢部材と協働可能な位置と協働不可能な位置とに切り換えることによるものであることを特徴とする請求項１に記載の給紙装置。
　
【請求項３】
Ｍ．前記分離片離間部材は、前記分離片に形成された突出部と、
Ｎ．前記用紙戻しレバーに配置され、用紙戻しレバーの搬送方向上流側の回動に基づき、前記突出部を介して、前記分離片を給紙ローラから離間させる係合部材と、から構成されていることを特徴とする請求項１もしくは２に記載の給紙装置。
　
【請求項４】
Ｏ．前記係合部材は、用紙戻しレバーに回動可能に取り付けられた係合レバーから成り、
Ｐ．その係合レバーは、用紙戻しレバーが搬送方向上流側に回動する際には、前記突出部の上面を押圧することにより前記分離片を給紙ローラから一時的に離間させ、用紙戻しレバーが搬送方向下流側に回動する際には、押圧状態から解除された前記突出部の下面に沿って案内されながら元の位置に復帰することを特徴とする請求項３に記載の給紙装置。
　
【請求項５】
Ｑ．前記係合レバーは、常には付勢手段により一方向に付勢されており、突出部の下面に沿って案内される際には、付勢手段の付勢力に抗して他方向に退避することにより、突出部の下面を通過することを特徴とする請求項４に記載の給紙装置。
　
【請求項６】
Ｒ．前記用紙戻しレバーにより用紙を押し戻す一連の動作は、用紙戻しレバーを搬送方向下流側に最も回動させた位置に保持する初期段階と、
Ｓ．前記第二の軸が一方向に回動を開始して用紙戻しレバーが搬送方向上流側に回動することにより、前記係合レバーが突出部の上面を押圧して前記分離片を給紙ローラから一時的に離間させると共に、用紙戻しレバーの回動により用紙を搬送方向上流側に押し戻す第二段階と、
Ｔ．用紙戻しレバーが最も搬送方向上流側に回動し、前記係合レバーの突出部に対する押圧が解除されることにより前記分離片を給紙ローラ側に復帰させる第三段階と、
Ｕ．前記第二の軸が他方向に回動を開始し、用紙戻しレバーを搬送方向下流側に回動して前記係合レバーが突出部と当接する際に、係合レバーが下方に退避して突出部の下面に沿って案内されながら通過する第四段階と、を含むことを特徴とする請求項４に記載の給紙装置。
　
【請求項７】
Ｖ．前記用紙戻しレバーの端部には、用紙を押し戻す際に用紙の先端と略直角に当接しつつ、用紙を連続して押し戻す当接面が形成されていることを特徴とする請求項１乃至６のいずれかに記載の給紙装置。
　
【請求項８】
Ｗ．前記用紙を積層状態で収納する用紙カセットと、前記用紙カセットの内部にて、前記用紙戻しレバーの回動範囲内に設けられるとともに、用紙戻しレバー回動範囲を規制する規制パッドを備えたことを特徴とする請求項１乃至７のいずれかに記載の給紙装置。
　
【請求項９】
Ｘ．前記用紙戻しレバーによる用紙を押し戻す一連の動作は、前記第一の軸を作動させて前記給紙ローラを回動させ、用紙カセット内に積層されている用紙の分離を開始する前に行うことを特徴とする請求項６に記載の給紙装置。
　
【請求項１０】
Ｙ．前記突出部は前記分離片の両端に設けられ、これに対応して用紙戻しレバーが設けられることを特徴とする請求項１乃至９のいずれかに記載の給紙装置。」
　
２．引用刊行物
　当審は、本件の請求項１ないし１０に係る特許発明は、本件特許出願前に頒布された下記刊行物１及び刊行物２に記載された発明に基づいて、当業者が容易に発明をすることができたものであるから、本件特許は、特許法第２９条第２項の規定に違反してされたものである旨の取消理由を通知した。
　
刊行物１：特開平１０−１８１９０５号公報（特許異議申立書の甲第１号証）
刊行物２：実願平３−８８５１０号（実開平５−３２３４１号）のＣＤ−ＲＯＭ（特許異議申立書の甲第３号証）
　
　当審が通知した、取消理由に引用した刊行物１（特許異議申立人の提出した甲第１号証）には、給紙装置について、図面とともに、以下のことが記載されている。
　
記載事項ａ．（７ページ１２欄【００８６】段落）
「【００８６】図１に示すように、この給紙装置ＳＦは、フレーム１００と、このフレームに回転可能に支持された給紙ローラ軸１１０と、この給紙ローラ軸１１０に取り付けられた一対の給紙ローラユニット１２０，１２０’と、フレーム１００に対して回動可能に取り付けられたホッパ１３０とを有している。」
　
記載事項ｂ．（７ページ１２欄【００８９】段落）
「【００８９】ホッパ１３０は、図示のように傾斜しており、この上に複数枚の用紙Ｐ（図２）が積層状態でセットされる。」
　
記載事項ｃ．（８ページ１３欄【００９４】〜８ページ１４欄【００９８】段落）
「【００９４】ホッパ１３０は、図５に示すように軸１３２によってフレーム１００に対して回動可能に取り付けられている。
・・・
【００９５】
・・・
　したがって、ホッパ１３０は、ホッパバネ１３３により、図５において時計方向すなわち用紙Ｐを給紙ローラ１２１に当接させる方向に向けて常時付勢されているが、図３および図６に示すように、ホッパ１３０の両端にはカムフオロア１３４が形成されており、このカムフオロア１３４が、給紙ローラ軸１１０に固定されたホッパカム１３５（図１参照）と当接することによって、その回動が規制されている。
・・・
【００９６】１５０は分離パッドであり、分離パッドホルダ１５１に固定されている。分離パッド１５０は、用紙Ｐに対する摩擦係数が、給紙ローラ１２１の摩擦係数よりも小さな材料（例えばコルク等の材料）で構成されている。
・・・
【００９８】パッド支持部１５３の下面とサブフレーム１４０との間には、パッド付勢手段としてのパッドバネ（圧縮バネ）１５６が設けられている。したがって、分離パッドホルダ１５１は、パッドバネ１５６により、図５において時計方向すなわち分離パッド１５０を給紙ローラ１２１に当接させる方向に向けて常時付勢されている・・・」
　
記載事項ｄ．（８ページ１４欄【０１０３】段落〜１０ページ１７欄【０１１５】）
「【０１０３】図３，図４，および図９に示すように、アイドルローラホルダ１６１の上部にはバネ受け部１６４が設けられており、このバネ受け部１６４を跨ぐようにしてローラ付勢手段としてのローラバネ（引っ張りコイルバネ）１６５が設けられている。このローラバネ１６５は、その両端が、サブフレーム１４０の内面に形成された掛け止め部１４４，１４４（図９参照）に係止されることによって、サブフレーム１４０に取り付けられている。したがって、アイドルローラホルダ１６１は、ローラバネ１６５により、図５矢印ａ１方向に向けて常時付勢されているが、アイドルローラ１６０が分離パッド１５０と当接することによって（または、後述するカムフォロア１６６がブッシュ１２２に形成されたカム１２３と当接することによって）その移動が規制されている。ローラバネ１６５の付勢力は、パッドバネ１５６の付勢力よりも小さく設定されている。
・・・
【０１０４】一方、アイドルローラホルダ１６１の−側面上方にはカムフオロア１６６が形成されており、このカムフオロア１６６が、前述したブッシュ１２２に形成されたカム１２３（図３から図５参照）と接離することによって、アイドルローラホルダ１６１が矢印ａｌまたはａ２方向に移動し、したがってまた、アイドルローラ１６０も矢印ａｌまたはａ２方向に移動するようになっている。すなわち、この実施の形態において、アイドルローラ退避機構は、アイドルローラホルダ１６１およびカム１２３で構成されており、カム１２３の作動によって、後述するように、給送されるべき用紙の先端が分離パッド１５０とアイドルローラ１６０との間を通過する際にアイドルローラ１６０を分離パッド１５０から離間させ、用紙の先端が分離パッド１５０とアイドルローラ１６０との間を通過した後、給紙ローラ１２１の円弧部１２１ａと分離パッド１５０との用紙を介した当接が解除される前に、アイドルローラ１６０を分離パッド１５０に当接させるように、前記カム１２３の形状が構成されている。
・・・
【０１０７】図４に示すように、ブッシュ１２２には、上記用紙戻しレバー１８０に対応する位置に円板１２４が一体的に形成されている。この円板１２４には、図３および図１１に示すように、凹所１２４ａが設けられており、この凹所１２４ａ内に、前述した中立位置にある用紙戻しレバー１８０が入り込むようになっている。したがって、ブッシュ１２２が回転すると（給紙ローラ軸１１０が回転すると）、円板１２４の角部１２４ｂまたは１２４ｃがレバー１８０に当接し、これによってレバー１８０が図３において時計方向または反時計方向に回動する。時計方向に回動したとき、後述するように用紙が押し戻されるようになっており、この際、次に説明する離間機構によって、前述した分離パッド１５０がアイドルローラ１６０から離間させられるようになっている。
【０１０８】離間機構は、主として上記用紙戻しレバー１８０と、分離パッドホルダ１５１におけるパッド支持部１５３の下面に組み込まれた離間レバー１９０（図１２参照）とによって構成されている。
・・・
【０１１３】図（ｂ）において、１９４はコイルバネであり、部分的に巻径を大きくすることによって段部１９４ａが形成されている。
【０１１４】コイルバネ１９４は、その両端をバネ受け穴１５１ｄ，１５１ｄに係合させることによって分離パッドホルダ１５１に取り付けられ、離間レバー１９０のバネ受け部１９２を図（ｂ）において下方に押圧するようになっている。したがって、離間レバー１９０はコイルバネ１９４で付勢され、通常は、その突片１９３が分離パッドホルダ１５１の窓１５１ｃの下縁１５１ｆ（図８参照）に当接している（図３、図４参照）が、突片１９３が窓１５１ｃ内を移動し得る範囲で回動可能である。
・・・
【０１１５】一方、前述した用紙戻しレバー１８０には、図１０に示すように、突起カム１８４が形成されており、図３、図４、および図９に示すように分離パッドホルダ１５１がサブフレーム１４０に組み込まれたときに、離間レバー１９０の突片１９３が前記突起カム１８４の回動軌道中に位置するようになっている。したがって、後述するように用紙戻しレバー１８０が図３において時計方向に回動すると、突起カム１８４が突片１９３を押し下げ、これによってパッド１５０が押し下げられてアイドルローラ１６０から離間することとなる。」
　
記載事項ｅ．（１０ページ１８欄【０１２５】〜【０１２６】段落）
「【０１２５】分離パッドホルダ１５１（すなわち分離パッド１５０）は、パッドバネ１５６（図５参照）により、図３において時計方向に付勢されているが、図４に示すように突部１５７がピン１４１と当接することによって、その回動が規制され、図３、図５に示す位置に停止している。したがって、パッドバネ１５６の付勢力はアイドルローラ１６０には作用していない。また、このとき、分離パッド１５０は、給紙ローラの円弧部１２１ａの回転軌道中に位置している。
【０１２６】ブッシュ１２２のカム１２３とアイドルローラホルダ１６１のカムフォロア１６６とは接触しておらず、したがって、アイドルローラ１６０はローラバネ１６５の付勢力によって分離パッド１５０に当接している。」
　
記載事項ｆ．（１０ページ１８欄【０１３５】段落）
「【１３５】（iii）図１４に示すように、給紙ローラ軸１１０とともに給紙ローラ１２１、ブッシュ１２２、およびホッパカム１３５が所定角度回転してホッパ力ム１３５とホッパ１３０のカムフオロア１３４との当接が解除されると、ホッパバネ１３３（図５参照）によってホッパ１３０が瞬間的に押し上げられ、用紙Ｐも押し上げられてその最上位の用紙Ｐ１が給紙ローラ１２１の円弧部１２１ａに押し付けられる。・・・」
　
記載事項ｇ．（１２ページ２１欄【０１５２】段落〜【０１５５】段落）
「【０１５２】（viii）さらに給紙ローラ軸１１０が回転し（丁度一回転し）、図１９に示すように、ホッパ１３０がホッパカム１３５で完全に押し下げられて待機状態（図３に示した状態）に戻る。
【０１５３】ただし、この時点では、用紙Ｐ１は給紙装置から完全に脱した状態とはなっていない。
【０１５４】したがって、用紙Ｐ１は、その後端が分離パッド１５０とアイドルローラ１６０との当接部Ｔを通過するまでは、この当接部Ｔにおける負荷を受けた状態（後方に引っ張られた状態）で、図２に示した搬送ローラ２，３によって搬送されることとなる。
【０１５５】この場合、アイドルローラ１６０が分離パッド１５０に向けてローラバネ１６５で付勢され、分離パッド１５０との間で用紙Ｐ１を挟圧しているので、すでに一端用紙Ｐ１から分離された次位の用紙Ｐ２が、その自重で下降しようとしたり、または用紙Ｐ１に対して静電気の作用で吸着しあるいは用紙Ｐ１との間の摩擦力によって用紙Ｐ１とともに送られようとしても、これが防止される。」
　
記載事項ｈ．（１２ページ２２欄【０１５８】段落〜【０１６０】段落）
「【０１５８】用紙戻し動作は、次の通りである。
【０１５９】（ｉ−１）前述した待機の状態（図３および図１９参照）から、給紙ローラ軸１１０が反時計方向への回転（逆転）を開始する。したがって、給紙ローラ１２１、ブッシュ１２２、およびホッパカム１３５も逆転を開始する。
【０１６０】図２０に示すように、給紙ローラ軸１１０とともに給紙ローラ１２１、ブッシュ１２２、およびホッパカム１３５が所定角度逆転すると、用紙戻しレバー１８０が、その後縁１８５で用紙の先端Ｐ２ａを押し戻すべく、ブッシュ１２２の円板１２４の角部１２４ｂに押されて時計方向に回動し、その突起カム１８４が離間レバー１９０の突片１９３と当接してこれを押し下げる。突片１９３は、分離パッドホルダ１５１の窓１５１ｃの下縁１５１ｆに当接しているから、結果として分離パッド１５０も押し下げられ、図示のように分離パッド１５０が給紙ローラ１２１およびアイドルローラ１６０から離間することとなる。・・・」
　
記載事項ｉ．（１３ページ２３欄【０１６３】段落〜【０１６５】段落）
「【０１６３】（ｉ−２）さらに給紙ローラ軸１１０が逆転し続けることにより、図２１に示すように、用紙戻しレバー１８０がさらに時計方向に回動し、その後縁１８５で用紙Ｐ２を押し戻す。用紙戻しレバー１８０の突起カム１８４は離間レバー１９０の突片１９３と当接してこれを押し下げたままであり、したがって、分離パッド１５０は給紙ローラ１２１およびアイドルローラ１６０から離間したままである。
・・・
【０１６５】（ｉ−３）さらに給紙ローラ軸１１０が逆転し続けることにより、図２２に示すように、用紙戻しレバー１８０がさらに時計方向に回動し、その後緑１８５で用紙Ｐ２を完全に押し戻す。すなわち、用紙戻しレバー１８０は、用紙Ｐ２の先端Ｐ２ａが支持面１５２と１５２ａの後方に達するように用紙Ｐ２を押し戻す。
これによって、用紙Ｐ２は、その自重により、また、シート２００が用紙Ｐ（すなわち用紙Ｐ２）をホッパ１３０の用紙支持面１３０ａに向けて付勢していることによって、ホッパ１３０上に完全に戻される（落とし込まれる）こととなる。」
　
記載事項ｊ．（１３ページ２３欄【０１６７】段落〜【０１６９】段落）
「【０１６７】用紙戻しレバー１８０が完全に時計方向に回動することにより、その突起カム１８４は離間レバー１９０の突片１９３から外れた状態となる。したがって、分離パッド１５０は上動し得る状態となるが、この時点では給紙ローラ１２１と当接することによってその上動は規制されている。
【０１６８】なお、この実施の形態では、上述したように、用紙Ｐ２をホッパ１３０上に完全に戻すようにしたが、少なくとも次位の用紙Ｐ２の先端Ｐ２ａがアイドルローラ１６０と分離パッド１５０との当接部Ｔよりも後方に位置するように押し戻せば、前述した累積的な進入は防止される。
【０１６９】以上のような用紙戻し動作がなされた後、給紙ローラ軸１１０が正転し、前述した待機状態を経て（ｉｉ）以降の給紙動作がなされる。なお、用紙戻し動作がなされた後、給紙ローラ軸１１０が正転すると、用紙戻しレバー１８０は、ねじりバネ１８２の付勢力により、また、ブッシュ１２２の円板１２４の角部１２４ｃで押されることにより反時計方向に回動することとなるが、この際、用紙戻しレバー１８０の突起カム１８４は、離間レバー１９０の突片１９３の下面と当接してこれを押し上げて（離間レバー１９０を反時計方向に回動させて）通過するだけである。」
　
記載事項ｋ．（１４ページ２５欄【０１７７】段落）
「【０１７７】したがって、アイドルローラ１６０と分離パッド１５０との当接力はローラ付勢手段１６５によって得られることとなり、このローラ付勢手段１６５による付勢力はパッド付勢手段１５６による付勢力よりも小さいから、用紙の挟圧力は従来の装置に比べて小さくすることが可能である。」
　
　当審が通知した、取消理由に引用した刊行物２（：特許異議申立人の提出した甲第３号証）には、原稿分離装置の分離圧可変機構について、図面とともに、以下のことが記載されている。
　
記載事項ｌ．（５ページ【０００５】段落）
「【０００５】本考案は、このような技術的課題を解決し、より広範囲の給紙条件に対応して原稿の繰込みと分離を両立させる目的から、原稿繰込み時と繰込み後とでセパレートローラに対する分離パッドの分離圧を変化できるようにした分離可変機構を提供するものである。」
　
記載事項ｍ．（５ページ【０００７】段落）
「【０００７】【作用】この分離圧可変機構では、押し圧スプリングの一端を端持しているカムを伝動機構を介しセパレートローラに連動させて回転させることにより、原稿繰込み時と繰込み後とでそのスプリング長を変化し、分離パッドに及ぼす分離圧を変化させることができる。・・・」
　
３．対比・判断
【本件発明１について】
　本件発明１を、刊行物１記載のものと比較する。
　
　刊行物１の記載事項ａ〜ｃにおける給紙ローラ１２１、分離パッド１５０及びホッパ１３０は、それぞれ、本件発明１の構成Ａの「給紙ローラ」、構成Ｂの「分離片」及び構成Ｃの「用紙支持部」に相当する。
　そして、記載事項ｃに、「ホッパ１３０は、ホッパバネ１３３により、図５において時計方向すなわち用紙Ｐを給紙ローラ１２１に当接させる方向に向けて常時付勢されているが、図３および図６に示すように、ホッパ１３０の両端にはカムフオロア１３４が形成されており、このカムフオロア１３４が、給紙ローラ軸１１０に固定されたホッパカム１３５（図１参照）と当接することによって、その回動が規制されている。」とあり、図３には、ホッパ１３０がホッパカム１３５により押し下げられ、給紙ローラ１２１から離れた位置にある状態が開示されているので、この位置は、本件発明１の構成Ｃの、用紙支持部の「第一位置」に相当する。
　また、記載事項ｆに、「図１４に示すように、・・・ホッパ１３０が瞬間的に押し上げられ、用紙Ｐも押し上げられてその最上位の用紙ＰＩが給紙ローラ１２１の円弧部１２１ａに押し付けられる」とあり、図１４には、ホッパ１３０が給紙ローラ１２１に近づいた位置にある状態が開示されているので、この位置は、本件発明１の構成Ｃの、用紙支持部の「第二位置」に相当する。
　記載事項ｃには、分離パッド１５０を、給紙ローラ１２１に当接させる方向に付勢するパッドバネ（圧縮バネ）１５６が記載されており、また、記載事項ｄの主に【０１０３】段落には、アイドルローラ１６０を分離パッド１５０に当接させる方向に付勢するローラバネ１６５が記載されているが、これらは、本件発明１の構成Ｄの「付勢部材」に相当する。
　そして、記載事項ｃの、パッドバネ１５６の付勢力が分離パッド１５０に作用している状態は、本件発明１の構成Ｄでいう、付勢部材の「第二付勢状態」に相当し、記載事項ｄに記載事項ｅ、ｋを勘案した、分離パッドの回動が規制されてパッドバネの付勢力が作用せず、一方、ローラバネ１５６の付勢力が、アイドルローラ１６０を介して分離パッド１５０に加わり、小さい付勢力でアイドルローラと分離パッドとを相互に付勢した状態は、構成Ｄでいう「第一付勢状態」に対応する。
　記載事項ｄの、主に【０１０７】段落に記載された離間機構は、分離パッド１５０をアイドルローラ１６０及び給紙ローラ１２１から離間させるものであるので、本件発明１の構成Ｅの「分離片離間部材」に相当し、同じく、用紙戻しレバー１８０は、離間機構の一部として、分離パッドの離間動作と連動して回動し、用紙を搬送方向上流側に押し戻すように作用するので、本件発明１の構成Ｆの「用紙戻しレバー」に相当する。なお、用紙戻しレバー１８０は、図３，４に示すように、給紙ローラユニット１２０に設けられており、給紙ローラユニット１２０は、図１に示すように、一対あるから、刊行物１記載のものも、一対の用紙戻しレバー１８０を備えていると認められる。
　記載事項ｇには、図１９に示す時点、すなわち用紙を分離した時点で、ホッパ１３０が押し下げられるとともに、用紙が、ローラバネ１６５で付勢されたアイドルローラ１６０と分離パッド１５０との間で、挟圧される旨記載されている。
　上述したように、この挟圧状態は、本件発明１の構成Ｄでいう「第一付勢状態」に相当するから、記載事項ｃの記載を勘案すると、このことは、本件発明１の構成Ｇのうちの「前記用紙を一枚分離する毎に、まず、前記用紙支持部を第二位置から第一位置に移動させて用紙支持部を給紙ローラから離間させることに連動して、前記分離片に対する付勢力を第二付勢状態から第一付勢状態に前記付勢部材を切り換えて分離片に対する付勢力を弱める」ことに相当する。
　記載事項ｄの、特に【０１０６】段落によれば、用紙戻しレバー１８０は、外力が作用しないときには、図３及び図１９に示す中立位置にあるとされ、図３には、分離パッド１５０の下流側の部分に用紙戻しレバー１８０が位置することが示されている。また、記載事項ｈの記載を勘案すると、用紙戻しレバーは、図２０，図２１に示すように、この位置から、時計回りに上流側に回動し、用紙Ｐ２を上流側に押し戻すようになっている。
　そこで、上記図１９に示す時点では、用紙戻しレバーは、搬送方向下流側に位置していると認められるので、このことは、本件発明１の構成Ｇのうちの「前記用紙戻しレバーを搬送方向下流側に位置させた状態とし」に相当する。
　記載事項ｄの、【０１１５】段落には、用紙戻しレバー１８０が、時計方向すなわち、図３において搬送方向上流側に向かって回動すると、用紙戻しレバー１８０の突起カム１８４が離間レバー１９０の突片１９３を押し下げ、これにより分離パッド１５０が押し下げられてアイドルローラ１６０から離間する旨記載されている。
　また、記載事項ｈにも同様の記載があり、給紙ローラ軸１１０の回転により、用紙戻しレバーが時計方向に回転して、突起カム１８４と突片１９３との当接により、分離パッド１５０が給紙ローラ１２１及びアイドルローラ１６０から離間する旨記載されている。
　そこで、このことは、本件発明１の構成Ｈの「続いて、前記駆動手段からの駆動力により用紙戻しレバーが搬送方向上流側に回動するのに連動して、第一付勢状態により付勢されている分離片を前記分離片離間部材を介して給紙ローラから一時的に離間させて分離片に対する付勢を解除し、」に相当する。
　
　記載事項ｉには、用紙戻しレバー１８０が、さらに時計方向に回動し、用紙Ｐ２を完全に押し戻す旨記載されており、このことは、本件発明１の構成Ｉの「さらなる用紙戻しレバーの回動によって用紙支持部上の用紙を搬送方向上流側に押し戻す」に相当する。
　
　そこで、両者は、次の一致点で一致し、相違点１で相違する。
　
（一致点）
「Ａ．駆動手段によって駆動され、用紙を所定の搬送方向に給紙する給紙ローラと、
Ｂ．その給紙ローラに当接して用紙を一枚毎に分離する分離片と、
Ｃ．搬送方向上流側を上方向、搬送方向下流側を下方向として複数枚の用紙を斜めに保持し、前記給紙ローラから離れる第一位置と給紙ローラに近づく第二位置との間で移動可能に配設される用紙支持部と、
Ｄ’．第一付勢力によって分離片をローラに向かって付勢する第一付勢状態と、第一付勢力よりも大きい第二付勢力によって分離片を給紙ローラに向かって付勢する第二付勢状態とを切換可能な付勢部材と、
Ｅ．その付勢部材の付勢力に抗して分離片を給紙ローラから離間させる分離片離間部材と、
Ｆ．前記駆動手段によって駆動され、分離片の近傍位置において回動可能な一対の用紙戻しレバーと、を備え、
Ｇ．前記用紙を一枚分離する毎に、まず、前記用紙支持部を第二位置から第一位置に移動させて用紙支持部を給紙ローラから離間させることに連動して、前記分離片に対する付勢力を第二付勢状態から第一付勢状態に前記付勢部材を切り換えて分離片に対する付勢力を弱めるとと共に、前記用紙戻しレバーを搬送方向下流側に位置させた状態とし、
Ｈ．続いて、前記駆動手段からの駆動力により用紙戻しレバーが搬送方向上流側に回動するのに連動して、第一付勢状態により付勢されている分離片を前記分離片離間部材を介して給紙ローラから一時的に離間させて分離片に対する付勢を解除し、
Ｉ．さらなる用紙戻しレバーの回動によって用紙支持部上の用紙を搬送方向上流側に押し戻すことを特徴とする給紙装置。」
　
（相違点１）
　本件発明１の「付勢部材」は、分離片を給紙ローラに向かって、第一付勢力によって付勢するのに対し、刊行物１の、ローラバネ１６５（付勢部材に相当）は、給紙ローラ１２１自体ではなく、それに付属したアイドルローラ１６０を、分離パッド１５０（分離片に相当）に向かって、第一付勢力によって付勢する点。
　
（相違点１についての判断）
　刊行物２（甲第３号証）には、給紙ローラに相当するセパレートローラ１の回転に連動して、セパレートローラ１に対して、分離片に相当する分離パッド２を、異なる圧力で押圧可能な、押し圧スプリング、カム等からなる分離圧可変機構が記載されている（記載事項ｌ，ｍ）。
　また、刊行物１の記載事項ｆにあるように、給紙ローラの回転と、ホッパ１３０（用紙支持部）の移動とは、ホッパカム１３５を介して連動するようになっている。
　そこで、刊行物１記載のものに、刊行物２記載のものを適用し、アイドルローラを、ローラバネ１６５により、分離パッドに第一付勢力で付勢することに代え、分離パッドを、分離圧可変機構により、給紙ローラの回転、すなわちホッパ１３の移動に連動して、給紙ローラに第一付勢力で付勢するように構成し、相違点１のようにすることは、当業者が容易に想到し得たことである。
　
　したがって、本件発明１は、刊行物１，２に記載されたものより、当業者が容易に発明をすることができたものである。
　
【本件発明２について】
　本件発明２は、本件発明１の技術事項を引用するとともに、その構成を、
「Ｊ．前記付勢部材は、前記分離片を常に所定の付勢力で給紙ローラに向かって付勢することが可能な第一付勢部材と、
Ｋ．その第一付勢部材とは別に設けられる第二付勢部材とからなり、
Ｌ．前記第二付勢状態から第一付勢状態への切り換えは、前記用紙支持部が第一位置と第二位置との間で移動するのに連動して、第二付勢部材を第一付勢部材と協働可能な位置と協働不可能な位置とに切り換えることによるものである」
と限定したものである。
　
　本件発明２と刊行物１記載のものとを対比すると、刊行物１記載のパッドバネ１５６は、本件発明２の第一付勢部材に、ローラバネ１６５は第二付勢部材に対応するものであるので、両者は、上記相違点１で相違するとともに、次の相違点２で相違する。
　
（相違点２）
　本件発明２では、第二付勢部材を第一付勢部材と協働可能な位置から、協働不可能な位置に切り換えることにより、第二付勢状態（付勢圧の高い状態）から、第一付勢状態（付勢圧の低い状態）に切り換えるのに対し、刊行物１記載のものでは、ローラバネ（第二付勢部材に対応）を作用させる状態から、パッドバネ（第一付勢部材に対応）を作用させる状態に切り換えることにより、第一付勢状態（付勢圧の低い状態）から、第二付勢状態（付勢圧の高い状態）に切り換える点。
　
（相違点２についての判断）
　刊行物１記載のものは、パッドバネとローラバネとの一方のみを作用させることによって、付勢圧の高い状態と、付勢圧の低い状態とを実現するものであって、その切換は、パッドバネにより分離パッドを供給ローラに付勢する状態と、ローラバネによりアイドルローラを、移動を規制した（パッドバネを不作用とした）分離パッドに対して付勢する状態とを切り換えることにより行なっている（記載事項ｃ，ｄ，ｅ，ｋ）。
　また、刊行物２記載のものは、単一の押し圧スプリングのスプリング長、すなわち圧縮量を、カムにより変化させることにより、付勢圧の高低を切り換えている（記載事項ｍ）。
　したがって、刊行物１，２のいずれにも、上記構成Ｌに係る、二つの付勢部材を、協働可能な位置から、協働不可能な位置に切り換えることにより、付勢圧の高い状態から低い状態に切り換えることは記載も示唆もされていない。
　また、刊行物１記載のものに刊行物２記載のものを適用した場合、分離パッドに作用させる付勢力可変の付勢手段は、刊行物２記載の単一の押し圧スプリングのみで足り、さらに別の付勢手段を設けるべき理由が見出せないから、相違点２は、刊行物１，２記載のものより、当業者が容易に想到し得た構成であるとも言えない。
　
　したがって、本件発明２は、刊行物１及び２に記載された発明から当業者が容易に発明をすることができたものではない。
【本件発明３について】
　本件発明３は、本件発明１〜２の技術事項を引用するとともに、その構成を
　「Ｍ．前記分離片離間部材は、前記分離片に形成された突出部と、
Ｎ．前記用紙戻しレバーに配置され、用紙戻しレバーの搬送方向上流側の回動に基づき、前記突出部を介して、前記分離片を給紙ローラから離間させる係合部材と、から構成されている」
と、限定したものである。
　
　そこで、上記構成Ｍ、Ｎについて検討すると、刊行物１には、用紙戻しレバー１８０が、搬送方向上流側である時計方向に回動すると、その突起カム１８４が離間レバー１９０の突片１９３と当接してこれを押し下げ、突片１９３は、分離パッドホルダ１５１の窓１５１ｃの下縁１５１ｆに当接しているから、結果として分離パッド１５０も押し下げられ、給紙ローラ１２１から離間する旨記載されている（記載事項ｈ）。
　そこで、刊行物１の、分離パッドホルダ１５１の下縁１５１ｆに当接する、離間レバー１９０の突片１９３は、本件発明３の、分離片に形成された突出部と対応し、用紙戻しレバー１８０の突起カム１８４は、用紙戻しレバーに配置される係合部材と対応するものである。
　なお、刊行物１記載のものにおいて、用紙戻しレバーの突起カム１８４と、分離パッド１５０との間に、離間レバー１９０を介在させるようにした理由は、記載事項ｊにあるように、用紙戻しレバー１８０が、反時計方向に回動するとき、突起カム１８４が、離間レバー１９０の突片１９３の下面と当接してこれを押し上げて通過するようにして、分離パッド１５０を移動させないためである。
　
　そこで、本件発明３の上記構成Ｍ、Ｎについて、本件発明３では、係合部材が、分離片に形成された突出部を介して、分離片を給紙ローラから離間させるのに対し、刊行物１記載のものは、突起カム１８４（係合部材に相当）が、分離パッドホルダ１５１の下縁１５１ｆに当接する、離間レバー１９０の突片１９３を介して、分離パッドを給紙ローラから離間させる点で相違する。
　
　上記相違点について判断すると、刊行物１記載のものにおいて、用紙戻しレバーの突起カムにより分離パッドを移動させるにあたり、中間部材である離間レバーを介することなく、直接分離パッドホルダに突片を設け、これを介して分離パッドを給紙ローラから離間するように構成することは、当業者が容易に想到し得たことである。
　
　したがって、本件発明３は、刊行物１，２に記載されたものより、当業者が容易に発明をすることができたものである。
　
【本件発明４について】
　本件発明４は、本件発明３の技術事項を引用するとともに、その構成を、
「Ｏ．前記係合部材は、用紙戻しレバーに回動可能に取り付けられた係合レバーから成り、
Ｐ．その係合レバーは、用紙戻しレバーが搬送方向上流側に回動する際には、前記突出部の上面を押圧することにより前記分離片を給紙ローラから一時的に離間させ、用紙戻しレバーが搬送方向下流側に回動する際には、押圧状態から解除された前記突出部の下面に沿って案内されながら元の位置に復帰する」
と限定したものであり、そうすることによって、用紙戻しレバーが搬送方向下流側に回動する際には、分離片を給紙ローラから離間させないという機能を奏するようにしたものである。
　
　上記構成Ｏ，Ｐについて検討すると、刊行物１記載のものでは、分離パッド（分離片に相当）側に設けた、突片１９３を有する離間レバー１９０を、分離パッドに対して回動可能とし（記載事項ｄの【０１１２】段落参照）、用紙戻しレバー１８０（用紙戻しレバーに相当）が搬送方向上流側に回動する際には、突起カム１８４（係合部材に相当）が突片１９３（突出部に対応）の上面を押圧することにより、分離パッド１５０を給紙ローラ１２１から一時的に離間させ、用紙戻しレバー１８０が搬送方向下流側に回動する際には、突起カム１８４が押圧状態から解除された前記突片１９３の下面に沿って案内されながら元の位置に復帰するように構成され、本件発明４と同様な機能を奏するようになっている（記載事項ｊ）。
　上記機能は、要するに、用紙戻しレバー側の係合部材と、分離片側の突出部とのいずれか一方を回動可能とすることによって実現できるから、刊行物１記載のものにおいて、分離パッド側の突片１９３を回動可能とすることに代え、用紙戻しレバー側の突起カム１８４を、用紙戻しレバーに対して回動可能となし、上記構成Ｏ，Ｐのようにすることは、当業者が容易に想到し得たことである。
　
　したがって、本件発明４は、刊行物１，２に記載されたものより、当業者が容易に発明をすることができたものである。
　
【本件発明５について】
　本件発明５は、本件発明４の技術事項を引用するとともに、その構成を
　「Ｑ．前記係合レバーは、常には付勢手段により一方向に付勢されており、突出部の下面に沿って案内される際には、付勢手段の付勢力に抗して他方向に退避することにより、突出部の下面を通過する」
と、限定したものである
　
　上記構成Ｑについて検討すると、刊行物１の、突片１９３を有する離間レバー１９０は、分離パッドホルダ１５１に対して軸１９１回りに回動可能に取り付けられており（記載事項ｄの【０１１２】段落参照）、コイルバネ１９４で、下方に回動し、突片１９３が分離パッドホルダ１５１の窓の下縁に当接するように付勢されている（記載事項ｄの【０１１３】段落参照）。
　そこで、用紙戻しレバー１８０側の突起カム１８４を回動可能とするにあたり、突起カムを付勢手段により、一方向に付勢するように構成して、上記構成Ｑのようにすることは、当業者が容易に想到し得たことである。
　
　したがって、本件発明５は、刊行物１，２に記載されたものより、当業者が容易に発明をすることができたものである。
　
【本件発明６について】
　本件発明６は、本件発明４の技術事項を引用するとともに、その動作について、構成を
　「Ｒ．前記用紙戻しレバーにより用紙を押し戻す一連の動作は、用紙戻しレバーを搬送方向下流側に最も回動させた位置に保持する初期段階と、
Ｓ．前記第二の軸が一方向に回動を開始して用紙戻しレバーが搬送方向上流側に回動することにより、前記係合レバーが突出部の上面を押圧して前記分離片を給紙ローラから一時的に離間させると共に、用紙戻しレバーの回動により用紙を搬送方向上流側に押し戻す第二段階と、
Ｔ．用紙戻しレバーが最も搬送方向上流側に回動し、前記係合レバーの突出部に対する押圧が解除されることにより前記分離片を給紙ローラ側に復帰させる第三段階と、
Ｕ．前記第二の軸が他方向に回動を開始し、用紙戻しレバーを搬送方向下流側に回動して前記係合レバーが突出部と当接する際に、係合レバーが下方に退避して突出部の下面に沿って案内されながら通過する第四段階と、を含む」
と、限定したものである。
　
　そこで、刊行物１記載の用紙戻しレバー１８０が、用紙を押し戻す動作について検討すると、まず用紙戻しレバー１８０は、バネ１８２の付勢力により、図３に示す搬送方向下流側の中立位置にあり（記載事項ｄの【０１０６】段落、記載事項ｈ）、これは上記構成Ｒに対応する。
　ついで、用紙戻しレバー１８０は、搬送方向上流側に回動し、突片１９３の上面が押され、分離パッド１５０がアイドルローラ１６０から離間されるとともに、用紙が押し戻されるので（記載事項ｄの【０１０７】、【０１１５】段落等及び図２０，２１、記載事項ｈ）、これは上記構成Ｓに相当する。
　ついで、用紙戻しレバー１８０が、最も搬送方向上流側に回動すると、突起カム１８４が突片１９３からはずれ、分離パッド１５０が上動し、給紙ローラ１２１と当接するので（記載事項ｊ【０１６７】段落、図２２）、これは上記構成Ｔに相当する。
　さらに、給紙ローラ軸１１０が正転し、用紙戻しレバー１８０が、搬送方向下流側に回動し、突起カム１８４が突片１９３と係合すると、突片１９３は上方に押し上げられ、突起カム１８４は突片１９３の下面に沿って案内されながら通過するので（記載事項ｊの【０１６９】段落）、これは上記構成Ｕに対応する。
　
　上記構成Ｒに対応する刊行物１記載の事項について、さらに検討すると、刊行物１記載の用紙戻しレバーは、通過する用紙に押されて、バネの付勢力に抗して搬送方向下流側に最も回動した位置に移動可能であるが、この位置を用紙戻しレバーの初期位置とするように、バネ１８２の付勢力を設定することは、当業者が、必要に応じ適宜なし得た程度の設計的事項である。
　また、上記構成Ｕに対応する刊行物１記載の事項については、上記【本件発明４について】で判断したように、用紙戻しレバー側の係合部材と、分離片側の突出部とのいずれか一方を回動可能とするにあたり、分離パッド側の突片１９３を回動可能とすることに代え、用紙戻しレバー側の突起カム１８４を回動可能とすることは当業者が容易に想到し得たことであるから、刊行物１の記載に基づいて、構成Ｕのようにすることは容易である。
　
　したがって、本件発明６は、刊行物１，２に記載されたものより、当業者が容易に発明をすることができたものである。
　
【本件発明７について】
　本件発明７は、本件発明１〜６の技術事項を引用するとともに、その構成を、
「Ｖ．前記用紙戻しレバーの端部には、用紙を押し戻す際に用紙の先端と略直角に当接しつつ、用紙を連続して押し戻す当接面が形成されている」
と限定したものである。
　
　そこで、上記構成Ｖについて検討すると、刊行物１記載の用紙戻しレバー１８０の、用紙と当接する後縁１８５（記載事項ｈ、図２０〜２２）は、用紙を押し戻す際に用紙の先端と略直角に当接しつつ、用紙を連続して押し戻すものであるから、この構成は、構成Ｖに相当する。
　
　したがって、本件発明７は、刊行物１及び２に記載された発明から当業者が容易に発明をすることができたものである。
　
【本件発明８について】
　本件発明８は、本件発明１〜７の技術事項を引用するとともに、その構成を、
　「Ｗ．前記用紙を積層状態で収納する用紙カセットと、前記用紙カセットの内部にて、前記用紙戻しレバーの回動範囲内に設けられるとともに、用紙戻しレバー回動範囲を規制する規制パッドを備えた」
と、限定したものである。
　
　そこで、上記記載Ｗについて検討すると、刊行物１、２には、用紙カセットの内部に規制パッドを備える点について、記載も示唆もない。
　
　したがって、本件発明８は、刊行物１及び２に記載された発明から当業者が容易に発明をすることができたものとは言えない。
　
【本件発明９について】
　本件発明９は、本件発明６の技術事項を引用するとともに、その構成を、
「Ｘ．前記用紙戻しレバーによる用紙を押し戻す一連の動作は、前記第一の軸を作動させて前記給紙ローラを回動させ、用紙カセット内に積層されている用紙の分離を開始する前に行う」
と限定したものである。
　
　そこで検討すると、刊行物１記載の給紙装置は、用紙戻しレバー１８０による用紙戻し動作がなされた後、待機状態を経て、給紙動作がなされるものであるので（記載事項ｊ【０１６９】段落）、この構成は、上記構成Ｘに相当する。
　
　したがって、本件発明９は、刊行物１及び２に記載された発明から当業者が容易に発明をすることができたものである。
　
【本件発明１０について】
　本件発明１０は、本件発明１〜９の技術事項を引用するとともに、その構成を、
「Ｙ．前記突出部は前記分離片の両端に設けられ、これに対応して用紙戻しレバーが設けられる」
と限定したものである。
　
　そこで、上記構成Ｙについて検討すると、分離片の両端に用紙戻しレバーを設けることは、例えば、実願昭６３−１４６４６１号（実開平２−６６５３３号）のマイクロフィルム）に示すように周知であるので、上記構成Ｙのようにすることは、当業者が、必要に応じ適宜なし得た設計的事項である。
　
　したがって、本件発明１０は、刊行物１及び２に記載された発明から当業者が容易に発明をすることができたものである。
　
４．むすび
　以上のとおり、本件発明１、３ないし７、９及び１０は、刊行物１及び２に記載されたものに基づいて、当業者が容易に発明をすることができたものであり、したがって、本件特許発明１、３ないし７，９及び１０についての特許は、特許法第２９条第２項の規定に違反してなされたものであるので、同法第１１３条第１項第２号に該当し、取り消されるべきものである。
　一方、本件発明２及び８は、刊行物１及び２に記載されたものに基づいて、当業者が容易に発明をすることができたものではないので、特許異議の申立ての理由及び証拠によっては、本件特許発明２及び８についての特許を取り消すことはできず、また、他に、本件特許発明２及び８に係る特許を取り消すべき理由を発見しない。
　
　よって、結論の通り決定する。
【異議決定日】
平成１５年３月７日（２００３．３．７）